(57)【要約】【課題】  高い輝度で白色表示をすることができる表示装置を提供することができる。【解決手段】  本発明に係る表示装置は、表面に画素が設けられた透明基板１０１を、有している。この透明基板１０１に設けられた画素は、３つの副画素で構成されており、上記３つの副画素のそれぞれにカラーフィルタ１０６が、備えられている。そして、上記３つの副画素のそれぞれに備えられたカラーフィルタ１０６のうち、１つまたは２つを、無色透明にする。【選択図】          図１
2006126347.tif 000002
【特許請求の範囲】
【請求項１】
表面に画素が設けられた基板を有し、上記画素は３つの副画素で構成され、該副画素のそれぞれにカラーフィルタが備えられており、
上記カラーフィルタのうち、１つまたは２つが無色透明であることを特徴とする表示装置。
【発明の詳細な説明】
【技術分野】
【０００１】
この発明は、表示装置に関する。
【背景技術】
【０００２】
近年、携帯電話機、携帯情報端末、電子手帳、携帯テレビ等の多くの電子機器に、液晶表示装置や有機ＥＬ表示装置などの表示装置が組み込まれるようになった。また、多くの表示装置で、カラーフィルタを用いたカラー表示が採用されている。
【０００３】
従来の技術として、画素毎にＲ（Red：赤）、Ｇ（Green：緑）、Ｂ（Blue：青）の三色のカラーフィルタを備えた液晶表示装置が知られている（特許文献１参照）。
【０００４】
【特許文献１】特開平８−３０４８３１号公報（図１）
【発明の開示】
【発明が解決しようとする課題】
【０００５】
従来からの一般技術として、白色表示するのにＲ、Ｇ、Ｂ全てを同時に点灯させて実現していた。
しかしながら、Ｒ、Ｇ、Ｂのカラーフィルタはそれぞれ一定の透過率しか有さず、光が入射されても、入射光の一部がＲ、Ｇ、Ｂの各カラーフィルタで吸収されてしまっていた。このため、Ｒ、Ｇ、Ｂの合色で白色表示を実現しても、十分な輝度を得ることができないという問題があった。
【０００６】
この発明は、このような問題点を解決するためになされたものであり、高い輝度で白色表示をすることができる表示装置を提供することを目的とする。
【課題を解決するための手段】
【０００７】
本発明に係る表示装置は、表面に画素が設けられた基板を有し、上記画素は３つの副画素で構成され、該副画素のそれぞれにカラーフィルタが備えられており、上記カラーフィルタのうち、１つまたは２つが無色透明であることを特徴とするものである。
このような構成により、高い輝度で白色表示をすることができる。
【発明の効果】
【０００８】
本発明により、高い輝度で白色表示をすることができる表示装置を提供することができる。
また、明るい３色以上の表示が可能な表示装置を提供することができる。
【発明を実施するための最良の形態】
【０００９】
本発明の実施の形態について、図に基づいて説明する。
図１は本発明の実施の形態に係る液晶表示装置の構成を示す概略図である。
図２は本発明の実施の形態に係る液晶表示装置の別の実施例を示す図である。
図１に示されるように、液晶表示素子１０は２枚の透明基板１０１、１０２で液晶１０３を挟持するように構成されている。透明基板１０１、１０２は例えば光透過性のあるガラス、ポリカーボネート、アクリル樹脂等により矩形状に形成されている。
透明基板１０２の内面には透明電極１０４、配向膜１０５が順次積層されて設けられている。
【００１０】
透明基板１０１の内面には、カラーフィルタ１０６、平坦化膜１０７、透明電極１０８、配向膜１０９が積層されて設けられている。偏光板１１０は透明基板１０１の外面に取り付けられ、偏光板１１１は透明基板１０２の外面に取り付けられている。偏光板１１０、１１１は入射光に対して特定の偏光成分のみを透過させる機能を有する光学部材である。
【００１１】
透明電極１０４、１０８は例えば、フォトリソグラフィ法によりＩＴＯ（Indium Tin Oxide）等の透明導電性薄膜から形成されている。配向膜１０５、１０９は、例えば高分子材料であるポリイミド薄膜等の有機薄膜で形成され、液晶１０３の分子を所定の方向に揃える役割を果たす。
スペーサ１１３は、透明基板１０１、１０２間の液晶１０３の高さ（セルギャップ）を制御する樹脂粒子で、透明基板１０１、１０２間の全範囲に亘り、散布される。シール剤１１２は、矩形状の透明基板１０１、１０２をその周囲で貼り合わせるための接着剤である。
【００１２】
透明基板１０２の内面側には、画素電極毎にオンオフするＴＦＴ（Thin Film Transistor：薄膜トランジスター）素子（不図示）がカラーフィルタＲ、Ｗ（White：白）、Ｂ毎に設けられている。ＴＦＴ素子は駆動回路（不図示）からの信号に従い、スイッチをオンして特定のカラーフィルタ（例えばカラーフィルタＷ）に対応する透明電極１０４に電圧を加え、対向する透明電極１０８との間で液晶１０３に駆動電圧を加えて液晶１０３の配列を変化させることにより、液晶表示素子１０の光の透過を制御する。
【００１３】
ここで、１つの画素は、３つの副画素から構成され、該副画素のそれぞれはカラーフィルタＲ、Ｗ、Ｂを有している。すなわち、１画素中のカラーフィルタ１０６のうち１つまたは２つのカラーフィルタ（図１においてはカラーフィルタＷ）を無色透明とする。なお、各カラーフィルタＲ、Ｗ、Ｂ間にはＢＭ（Black Matrix：ブラックマトリックス）が設けられている。ＢＭは各カラーフィルタＲ、Ｗ、Ｂ間からの光の漏れを防止する役割を果たしている。
【００１４】
このように、１画素中の３つの副画素に備えられるカラーフィルタのうち、１つまたは２つを無色透明にしたことにより、無色透明としたカラーフィルタＷでは入射光を高透過率で透過させることができる。通常、液晶表示素子１０に対しては白色光が入射されるため、高い輝度で白色表示をすることができる。
また、図１で示されたＲ、Ｗ、Ｂの構成をＲ、Ｗ、Ｗの構成にすれば、より高い輝度の白色表示を実現することができる。
【００１５】
また、図２に示されたように、２つのカラーフィルタＷを一体化して構成してもよい。
発明者は２つのカラーフィルタＷを一体化したカラーフィルタを用いて、白色表示の輝度の評価試験を行ったので、図に基づいて評価結果について説明する。
図３は白色表示時の輝度の評価結果を示す図である。
図３では、左欄はカラーフィルタをＲＧＢで構成した場合のｘ−ｙ色度と輝度を示している。右欄は、カラーフィルタをＷ、Ｗ、Ｒで構成した場合の色度と輝度を示している。また、輝度測定に用いる光源をｘ−ｙ色度（０．３１、０．３７）のものを用いて行った。また、カラーフィルタ１０６には約１．５×１０−６ｍの厚みのものを用いた。なお、平坦化膜１０７には透過率９５％の素材を用いた。
【００１６】
図３に示されたように、カラーフィルタをＲＧＢで構成した場合における白色表示時（ＲＧＢ全てを同時に点灯）の輝度が１００ｃｄ／ｍ２であるのに対し、カラーフィルタをＷ、Ｗ、Ｒで構成した場合における白色表示（２個のＷを同時に点灯）の輝度は約２倍である１９０ｃｄ／ｍ２であった。
【００１７】
このように、１画素中の３つのカラーフィルタのうち、２つのカラーフィルタを無色透明にしたことにより、より高い輝度で白色表示をすることができる。
【００１８】
なお、本発明は、実施形態をして液晶表示装置を例示して説明したが、有機ＥＬ（Electro Luminescence）ディスプレイ等の他の表示装置にも適用できる。
【図面の簡単な説明】
【００１９】
【図１】本発明の実施の形態に係る液晶表示装置の構成を示す概略図である。
【図２】本発明の実施の形態に係る液晶表示装置の別の実施例を示す図である。
【図３】白色表示時の輝度の評価結果を示す図である。
【符号の説明】
【００２０】
１０  液晶表示素子、  １０１、１０２  透明基板、  １０３  液晶、  １０４、１０８  透明電極、  １０５、１０９  配向膜、  １０６  カラーフィルタ、  １０７  平坦化膜。
【図１】
2006126347.tif 000003
【図２】
2006126347.tif 000004
【図３】
2006126347.tif 000005